(57)【特許請求の範囲】
【請求項１】
ベッドにいる患者を識別する患者識別端末であって、
複数のベッドの各々に設置された発信機から発信される電波を受信する受信部と、
前記電波の電波強度を用いて、前記患者識別端末と最も近い発信機を選択する選択部と、
前記選択した発信機の電波から前記発信機が設置されたベッドのベッド識別情報を取得してサーバに送信し、前記サーバから前記ベッド識別情報に対応する患者の患者識別情報を取得する取得部と、を有し、
前記選択部は、前記電波の電波強度を用いて、前記患者識別端末と各発信機との距離が所定の距離以内か否かを判別し、所定の距離以内の発信機の中で、前記患者識別端末との距離が近づいている発信機を、前記患者識別端末と最も近い発信機として選択すること
を特徴とする患者識別端末。
【請求項２】
請求項１記載の患者識別端末であって、
前記ベッドは、透析治療用のベッドであって、
前記取得部は、前記ベッド識別情報とともに、時刻情報を前記サーバに送信し、前記ベッド識別情報のベッドで、前記時刻情報の時間帯において透析治療の予約がなされている患者の患者識別情報を、前記サーバから取得すること
を特徴とする患者識別端末。
【請求項３】
請求項１または請求項２記載の患者識別端末であって、
前記選択部は、前記患者識別端末との距離が所定の距離以内の発信機を監視対象として抽出し、前記監視対象の発信機から発信される電波を受信する度に、当該電波の電波強度を用いて前記患者識別端末との距離を取得し、前記患者識別端末との距離が遠ざかっている発信機を前記監視対象から除外すること
を特徴とする患者識別端末。
【請求項４】
請求項３記載の患者識別端末であって、
前記選択部は、前記監視対象の発信機のうち、所定の回数連続して監視対象となった発信機を、前記患者識別端末と最も近い発信機として選択すること
を特徴とする患者識別端末。
【請求項５】
患者識別端末が行う患者識別方法であって、
複数のベッドの各々に設置された発信機から発信される電波を受信する受信ステップと、
前記電波の電波強度を用いて、前記患者識別端末と最も近い発信機を選択する選択ステップと、
前記選択した発信機の電波から前記発信機が設置されたベッドのベッド識別情報を取得してサーバに送信し、前記サーバから前記ベッド識別情報に対応する患者の患者識別情報を取得する取得ステップと、を行い、
前記選択ステップは、前記電波の電波強度を用いて、前記患者識別端末と各発信機との距離が所定の距離以内か否かを判別し、所定の距離以内の発信機の中で、前記患者識別端末との距離が近づいている発信機を、前記患者識別端末と最も近い発信機として選択すること
を特徴とする患者識別方法。
【請求項６】
請求項５記載の患者識別方法であって、
前記ベッドは、透析治療用のベッドであって、
前記取得ステップは、前記ベッド識別情報とともに、時刻情報を前記サーバに送信し、前記ベッド識別情報のベッドで、前記時刻情報の時間帯において透析治療の予約がなされている患者の患者識別情報を、前記サーバから取得すること
を特徴とする患者識別方法。
【請求項７】
請求項５または請求項６記載の患者識別方法であって、
前記選択ステップは、前記患者識別端末との距離が所定の距離以内の発信機を監視対象として抽出し、前記監視対象の発信機から発信される電波を受信する度に、当該電波の電波強度を用いて前記患者識別端末との距離を取得し、前記患者識別端末との距離が遠ざかっている発信機を前記監視対象から除外すること
を特徴とする患者識別方法。
【請求項８】
請求項７記載の患者識別方法であって、
前記選択ステップは、前記監視対象の発信機のうち、所定の回数連続して監視対象となった発信機を、前記患者識別端末と最も近い発信機として選択すること
を特徴とする患者識別方法。
【請求項９】
請求項１から４のいずれか１項に記載の患者識別端末として、コンピュータを機能させることを特徴とする患者識別プログラム。
【発明の詳細な説明】
【技術分野】
【０００１】
本発明は、ベッドにいる患者を識別する技術に関する。
【背景技術】
【０００２】
近年のコンピュータ技術の発達により、様々な分野においてコンピュータが使用されるようになっている。病院においても電子カルテシステムなどのシステム化が進められている（特許文献１参照）。
【０００３】
また、近年、低消費電力の近距離無線技術「ＢＬＥ（Bluetooth Low Energy）（登録商標）」を利用した位置特定技術であるビーコン（Beacon）が注目されている。
【先行技術文献】
【特許文献】
【０００４】
【特許文献１】特開２００５−２３５０９８号公報
【発明の概要】
【発明が解決しようとする課題】
【０００５】
医療スタッフが、ベッドにいる患者の情報を確認したい場合、患者の識別情報、患者の氏名など、患者を特定するために必要な情報をタブレット端末などの通信端末に入力し、サーバから患者の情報を取得する必要がある。
【０００６】
しかしながら、患者の識別情報、患者の氏名などの入力は、医療スタッフにとって負荷が大きく、ストレスを感じる作業である。また、透析治療を行うクリニックなど、ベッド数が多い病室のにおいて、医療スタッフが各ベッドの患者の情報を確認する場合、入力作業に多くの時間を要する。また、入力ミスによる入力のやり直しにより、入力時間がさらに大きくなる恐れもある。
【０００７】
また、医療スタッフの入力ミスにより、間違った識別情報を入力し、間違った患者の情報をサーバから取得してしまうことで、患者の取り違えが発生してしまう恐れがある。
【０００８】
本発明は上記事情に鑑みてなされたものであり、本発明の目的は、医療スタッフの作業負荷を低減しつつ、ベッドにいる患者を容易に識別できるようにし、患者の取り違えを防止することにある。
【課題を解決するための手段】
【０００９】
上記課題を解決するために、本発明は、ベッドにいる患者を識別する患者識別端末であって、複数のベッドの各々に設置された発信機から発信される電波を受信する受信部と、前記電波の電波強度を用いて、前記患者識別端末と最も近い発信機を選択する選択部と、前記選択した発信機の電波から前記発信機が設置されたベッドのベッド識別情報を取得してサーバに送信し、前記サーバから前記ベッド識別情報に対応する患者の患者識別情報を取得する取得部と、を有し、前記選択部は、前記電波の電波強度を用いて、前記患者識別端末と各発信機との距離が所定の距離以内か否かを判別し、所定の距離以内の発信機の中で、前記患者識別端末との距離が近づいている発信機を、前記患者識別端末と最も近い発信機として選択する。
【００１０】
本発明は、患者識別端末が行う患者識別方法であって、複数のベッドの各々に設置された発信機から発信される電波を受信する受信ステップと、前記電波の電波強度を用いて、前記患者識別端末と最も近い発信機を選択する選択ステップと、前記選択した発信機の電波から前記発信機が設置されたベッドのベッド識別情報を取得してサーバに送信し、前記サーバから前記ベッド識別情報に対応する患者の患者識別情報を取得する取得ステップと、を行い、前記選択ステップは、前記電波の電波強度を用いて、前記患者識別端末と各発信機との距離が所定の距離以内か否かを判別し、所定の距離以内の発信機の中で、前記患者識別端末との距離が近づいている発信機を、前記患者識別端末と最も近い発信機として選択する。
【００１１】
本発明は、上記患者識別端末として、コンピュータを機能させることを特徴とする患者識別プログラムである。
【発明の効果】
【００１２】
本発明によれば、医療スタッフの作業負荷を低減しつつ、ベッドにいる患者を容易に識別できるようにし、患者の取り違えを防止することができる。
【図面の簡単な説明】
【００１３】
【図１】本発明の実施形態に係る患者識別システムの全体構成図である。
【図２】発信機（ビーコン端末）の電波が受信可能な領域を示す図である。
【図３】透析治療を行う病室の発信機の配置の一例を示す図である。
【図４】患者識別システムの動作を示すシーケンス図である。
【図５】透析管理画面の一例を示す図である。
【図６】図４のＳ１１の処理を示すフローチャートである。
【図７】監視対象の発信機の位置情報の一例を示す図である。
【発明を実施するための形態】
【００１４】
以下、本発明の実施の形態を、図面を用いて説明する。
【００１５】
図１は、本実施形態の患者識別システムの全体構成を示す構成図である。本実施形態の患者識別システムは、医療スタッフ（例えば、医師、看護師等）が使用する端末１（患者識別端末）と、サーバ２と、複数のベッドの各々に設置された発信機３とを備える。端末１とサーバ２とは、無線ネットワークまたは有線のネットワークを介して通信可能であるものとする。
【００１６】
なお、本実施形態では、透析治療用のベッドに発信機３を設置し、透析患者を識別（特定）する場合を例として以下に説明するが、これに限定されるものではない。例えば、透析治療以外の病院のベッドであって、入院患者を識別する場合などに用いることができる。
【００１７】
端末１は、ベッドにいる患者を識別し、識別した患者のデータを表示する装置である。端末１には、タブレット端末、スマートフォンなどの通信装置（携帯端末）を用いることができる。図示する端末１は、受信部１１と、選択部１２と、取得部１３と、記憶部１４とを備える。
【００１８】
受信部１１は、複数のベッドの各々に設置された発信機３から発信される電波を受信する。選択部１２は、発信機３から発信される電波の電波強度を用いて、当該端末１と最も近い発信機３を選択する。本実施形態では、選択部１２は、電波の電波強度を用いて、端末１と各発信機３との距離が所定の距離以内か否かを判別し、所定の距離以内の発信機３の中で、端末１との距離が近づいている発信機３を、端末１と最も近い発信機３であると選択する。
【００１９】
また、選択部１２は、端末１との距離が所定の距離以内の発信機３を監視対象として抽出し、監視対象の発信機３から発信される電波を受信する度に、当該電波の電波強度を用いて端末１との距離を取得し、端末１との距離が遠ざかっている発信機３を監視対象から除外してもよい。また、選択部１２は、監視対象の発信機３のうち、所定の回数連続して監視対象となった発信機３を、端末１と最も近い発信機であると選択してもよい。
【００２０】
取得部１３は、選択部１２が決定した発信機３の電波から当該発信機３が設置されたベッドのベッドＩＤ（ベッド識別情報）を取得してサーバ２に送信し、サーバ２からベッドＩＤに対応する患者の患者ＩＤ（患者識別情報）を取得する。また、本実施形態のベッドは、透析治療用のベッドであり、取得部１３は、ベッドＩＤとともに、時間情報をサーバ２に送信し、ベッドＩＤのベッドで、時刻情報の時間帯において透析治療の予約がなされている患者の患者ＩＤを、サーバ２から取得してもよい。
【００２１】
記憶部１４には、端末１との距離が所定の距離以内である監視対象の発信機３の距離情報が記憶される。
【００２２】
サーバ２は、端末１からの要求に応じて、当該サーバ２が保持する各種のデータを端末１に送信する。図示するサーバ２は、制御部２１と、予約ＤＢ（データベース）２２と、患者ＤＢ（データベース）２３とを備える。
【００２３】
制御部２１は、ベッドＩＤおよび時刻情報を含む患者ＩＤ要求を端末１から受信し、当該ベッドＩＤのベッドで、時刻情報の時間帯において透析治療の予約がなされている患者の患者ＩＤを、予約ＤＢ２２から読み出し、要求元の端末１に送信する。また、制御部２１は、患者ＩＤを含むデータ要求を端末１から受信し、当該患者ＩＤの患者に関するデータ（例えば、透析データなど）を、患者ＤＢ２３から読み出し、要求元の端末１に送信する。
【００２４】
予約ＤＢ２２には、透析治療を行う患者の予約情報が記憶されている。具体的には、ベッド毎（ベッドＩＤ毎）に、割り当てられた患者の患者ＩＤと、透析日時とが対応付けて記憶されている。患者ＤＢ２２には、患者毎（患者ＩＤ毎）に、患者氏名などの患者データと、透析治療に関する透析データなどが記憶されている。
【００２５】
以上説明した、端末１およびサーバ２には、例えば、ＣＰＵと、メモリと、ハードディスク等の外部記憶装置と、入力装置と、出力装置とを備えた汎用的なコンピュータシステムを用いることができる。このコンピュータシステムにおいて、ＣＰＵがメモリ上にロードされた所定のプログラムを実行することにより、各装置の各機能が実現される。例えば、端末１およびサーバ２の各機能は、端末１用のプログラムの場合は端末１のＣＰＵが、サーバ２用のプログラムの場合はサーバ２のＣＰＵがそれぞれ実行することにより実現される。
【００２６】
また、端末１用のプログラムおよびサーバ２用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００２７】
発信機３は、電波を発信する装置である。本実施形態の発信機３は、ＢＬＥ（Bluetooth Low Energy（登録商標））電波、すなわちビーコン信号を発信するビーコン端末である。
【００２８】
また、本実施形態の発信機３は、病室の各ベッドに設置され、ベッドを識別するためのＩＤ情報を、電波を用いて発信する。ＩＤ情報には、具体的には、ＵＵＩＤ（Universally Unique Identifier）と、Major値と、Minor値が含まれる。本実施形態では、ＵＵＩＤに所定の値を、Major値にベッドであること示す種別を、Minor値に当該発信機３を設置するベッドのベッドＩＤ（例えば、ベッド番号）を、ＩＤ情報としてあらかじめ各発信機３に設定しておく。
【００２９】
図２は、発信機３（ビーコン端末）の電波が受信可能な領域を示す図である。
【００３０】
発信機３との距離が所定の距離（ｒ３）以内の領域３１に存在する端末１Ａ、１Ｂ、１Ｃは、発信機３が発信する電波を受信し、発信機３の存在を検知する。一方、発信機３との距離が所定の距離（ｒ３）より離れている端末１Ｄは、発信機３の電波を受信できないため、発信機３の存在を検知することできない。
【００３１】
また、本実施形態では、端末１は、発信機３が発信する電波を受信した場合、受信した電波の電波強度を用いて発信機３との距離を算出（測定）し、算出した距離に応じて発信機３との距離を複数のレベルに分類する。図２に示す例では、発信機３との距離がｒ１以内の領域３２では「非常に近いレベル（Immediate）」とし、発信機３との距離がｒ１より大きくｒ２以内の領域３３では「近いレベル（Near）」とし、発信機３との距離がｒ２より大きくｒ３以内の領域３４では「遠いレベル（Far）」とする。
【００３２】
図３は、本実施形態における透析治療を行う病室の発信機３の配置の一例を示す図である。発信機３は、複数のベッドのそれぞれに設置されている。また、図示する例では、発信機３は、各ベッドの通路側に設置されており、所定の発信間隔で常時、ベッドＩＤを示す電波を発信している。これにより、端末１を持った医療スタッフが通路を移動し、目的とするベッドに近づくだけで、端末１は近づいたベッドに設置された発信機３の電波を受信することができる。
【００３３】
次に、本実施形態の患者識別システムの動作について説明する。
【００３４】
図４は、患者識別システムの動作を示すシーケンス図である。端末１は、各発信機３から発信される電波をそれぞれ受信し、記憶部１４に記憶された各発信機３の距離情報を更新する（Ｓ１１）。距離情報の更新処理については、後述する。
【００３５】
そして、端末１の選択部１２は、医療スタッフが入力した患者ＩＤ取得指示を受け付けると（Ｓ１２：ＹＥＳ）、記憶部１４に記憶された各発信機３の距離情報を用いて、当該端末１と最も近い位置に設置された発信機３を選択する（Ｓ１３）。
【００３６】
医療スタッフは、例えば、端末１のディスプレイに表示された所定のボタンまたは患者ＩＤの入力エリアなどにタッチ（タップ）するなどの操作を行うことで、患者ＩＤ取得指示を端末１に入力する。
【００３７】
そして、端末１の取得部１３は、選択部１２が選択した最も近い発信機３の電波によって通知されたＩＤ情報を取得する（Ｓ１４）。本実施形態では、取得部１３は、ＩＤ情報のうち、Major値に設定された種別（ベッド）と、Minor値に設定されるベッドＩＤとを取得する。
【００３８】
そして、取得部１３は、種別が「ベッド」である場合、Minor値に設定されたベッドＩＤを含む患者ＩＤ要求を、サーバ２に送信する（Ｓ１５）。また、取得部１３は、ベッドＩＤとともに、時刻情報を含む患者ＩＤ要求をサーバ２に送信することとしてもよい。時刻情報は、医療スタッフが時刻を指定（入力）しない場合は現在時刻であり、医療スタッフが時刻を指定した場合は指定された時刻とする。
【００３９】
サーバ２の制御部２１は、端末１から送信された患者ＩＤ要求を受信すると、予約ＤＢ２２を参照し、当該患者ＩＤ要求に含まれるベッドＩＤに対応するベッドに、時刻情報で指定された時刻を含む時間帯で透析治療を行うとして予約されている患者の患者ＩＤを取得し（Ｓ１６）、取得した患者ＩＤを要求元の端末１に送信する（Ｓ１７）。
【００４０】
端末１は、サーバ２から患者ＩＤを取得すると、当該患者ＩＤを端末１のディスプレイに表示する。また、端末１は、医療スタッフの指示を受け付けて、取得した患者ＩＤを含むデータ要求をサーバ２に送信する（Ｓ１８）。データ要求は、患者氏名などの患者データ、透析治療に関する透析データなどを要求するものである。
【００４１】
サーバ２の制御部２１は、端末１から送信されたデータ要求を受信すると、当該データ要求に含まれる患者ＩＤに対応する患者の患者データ、透析データなどを患者ＤＢ２３から読み出し、読み出したデータを要求元の端末１に送信する（Ｓ１９）。端末１は、サーバ２からデータを受信すると、所定の透析管理画面を生成し、ディスプレイに表示する。これにより、医療スタッフは、近くのベッドにいる患者の情報を確認することができる。
【００４２】
図５は、端末１のディスプレイに表示される透析管理画面の一例を示す図である。
【００４３】
次に、図４のＳ１１の端末１の処理の詳細について説明する。
【００４４】
図６は、図４のＳ１１の処理を示すフローチャートである。図６では、１つの発信機３から電波を受信した際の処理について示している。複数の発信機３から電波を受信した場合は、発信機３毎に、図６の処理が行われる。
【００４５】
端末１の受信部１１は、発信機３から電波を受信する（Ｓ３１）。これにより、端末１の選択部１２は、受信した電波の電波強度を用いて、発信元の発信機３との距離を算出し、発信機３との距離のレベルが何れのレベル（図２参照）であるかを判定する（Ｓ３２）。
【００４６】
そして、選択部１２は、取得したレベルが「非常に近いレベル」の場合（Ｓ３３：ＹＥＳ）、当該発信機３を監視対象として抽出し、当該発信機３の距離情報を記憶部１４に記憶する。なお、取得したレベルが「非常に近いレベル」の発信機３は、図２に示すように、端末１と発信機３の距離が所定の距離（ｒ１）以内の発信機３を意味している。
【００４７】
図７は、記憶部１４に記憶される、監視対象の発信機３の位置情報の一例を示す図である。選択部１２は、監視対象として抽出した発信機３について、当該発信機３からの電波を受信する度に、発信機３との距離を追加し、位置情報を更新する。
【００４８】
なお、取得したレベルが「非常に近いレベル」以外の場合（Ｓ３３：ＮＯ）、すなわち、「近いレベル」および「遠いレベル」の場合、選択部１２は、当該発信機３を監視対象とはしないで処理を終了する。
【００４９】
そして、受信部１１は、発信機３の次の発信タイミングにおいて発信された電波を受信し、受信した電波の電波強度を用いて、発信機３との距離を算出する（Ｓ３５）。そして、選択部１２は、Ｓ３４で記憶した前回の距離と、Ｓ３５で算出した今回の距離とを比較し、前回の距離より今回の距離が大きいか否かを判定する（Ｓ３６）。すなわち、選択部１２は、端末１が発信機３から遠ざかっているのか否かを判別する。
【００５０】
前回の距離より今回の距離が大きくなっている場合、すなわち、発信機３から端末１が遠ざかっている場合は（Ｓ３６：ＹＥＳ）、選択部１２は、当該発信機３を監視対象から除外し、記憶部１４から当該発信機３の距離情報を削除し（Ｓ３７）、処理を終了する。
【００５１】
一方、前回の距離より今回の距離が小さくなっている場合、または、前回の距離と今回の距離が同じ場合（Ｓ３６：ＮＯ）、選択部１２は、記憶部１４の当該発信機３の距離情報を更新する（Ｓ３８）。具体的には、図７に示すように、距離情報に今回の距離を追加する。なお、前回の距離より今回の距離が小さくなっている場合は、端末１が発信機３に近づいている（すなわち、医療スタッフが発信機３の方に移動している）ことを意味し、また、前回の距離と今回の距離が同じ場合は、発信機３の近傍で端末１が留まっている（すなわち、医療スタッフが発信機３の近傍で動かないでいること）を意味している。
【００５２】
そして、選択部１２は、Ｓ３５の処理に戻り、以降の処理を繰り返し行う。
【００５３】
図６に示す処理を、電波を受信した各発信機３についてそれぞれ行うことにより、端末１の記憶部１４には、当該端末１との距離が「非常に近いレベル」の発信機３であって、端末１が近づいている発信機３（端末１と近い状態のままでいる発信機３を含む）の距離情報が、常に記憶されている。
【００５４】
これにより、選択部１２は、図４のＳ１２で医療スタッフからの指示を受け付けると、図４のＳ１３において、記憶部１４を参照し、当該記憶部１４に記憶された発信機３を最も近い発信機３として選択する。なお、記憶部１４に記憶された発信機３が複数ある場合は、選択部１２は、最新の距離が最も近い発信機３を、当該端末１に最も近い発信機３として選択する。
【００５５】
また、選択部１２は、記憶部１４に記憶された発信機３のうち、所定の回数連続して位置情報が更新された発信機３（監視対象となった発信機３）を、端末１に最も近い発信機３として選択することとしてもよい。
【００５６】
以上説明した本実施形態の端末１では、複数のベッドの各々に設置された発信機から発信される電波の電波強度を用いて、当該端末１と最も近い発信機３を選択し、選択した発信機３の電波から発信機が設置されたベッドのベッドＩＤを取得してサーバ２に送信し、サーバ２からベッドＩＤに対応する患者の患者ＩＤを取得する。
【００５７】
これにより、本実施形態では、医療スタッフは、患者ＩＤを入力することなく、目的とするベッドに近づくだけで、当該ベッドにいる患者の患者ＩＤを取得し、患者を容易に識別することができる。したがって、医療スタッフは、患者ＩＤを入力する手間がなくなり、業務の簡略化を図ることができる。すなわち、医療スタッフの作業負荷、作業時間、心理的なストレスを低減し、医療スタッフの利便性を向上することができる。また、医療スタッフの患者ＩＤの入力ミスに起因した、患者の取り違えを回避することができる。
【００５８】
また本実施形態の端末１は、電波の電波強度を用いて、端末１と各発信機３との距離が所定の距離以内か否かを判別し、所定の距離以内の発信機３の中で、端末１との距離が近づいている発信機３を、端末１と最も近い発信機であると選択する。これにより、本実施形態では、多くのベッドが設置された病室であっても、医療スタッフが意図するベッドにいる患者を高い精度で識別することができる。
【００５９】
また、本実施形態の端末１は、ベッドＩＤとともに、時刻情報をサーバ２に送信し、患者ＩＤを取得する。これにより、本実施形態では、透析治療において、１つのベッドを複数の患者が使用する場合であって、当該ベッドにいる患者を的確に識別することができる。
【００６０】
また、本実施形態の端末１は、当該端末１との距離が所定の距離以内の発信機３を監視対象として抽出し、監視対象の発信機３から発信される電波を受信する度に、当該電波の電波強度を用いて端末１との距離を取得し、端末１との距離が遠ざかっている発信機３を監視対象から除外する。これにより、本実施形態では、監視対象の発信機３の数を少なくし、端末１の処理負荷を低減することはできる。
【００６１】
また、本実施形態の端末１は、監視対象の発信機３のうち、所定の回数連続して監視対象となった発信機３を、端末１と最も近い発信機３として選択する。これにより、電波の反射、干渉などの影響を排除し、より高い精度で患者を識別することができる。
【００６２】
以上、本発明の実施の形態について説明してきたが、本発明の要旨を逸脱しない範囲において、本発明の実施の形態に対して種々の変形や変更を施すことができる。
【００６３】
例えば、上記実施形態では、ベッドにいる患者を識別することとしたが、端末（タブレット端末など）を使用する医療スタッフを識別することとしてもよい。この場合、医療スタッフは、タグタイプの発信機（ビーコン端末）を首からぶらさげるなどして所持する。ここでは、発信機には、ＵＵＩＤに所定の値を、Major値にスタッフであること示す種別を、Minor値に当該発信機を所持する医療スタッフのユーザＩＤを、ＩＤ情報としてあらかじめ設定しておく。発信機を所持した医療スタッフが、端末を手に取り、保持することで、医療スタッフが所持する発信機との距離が近くなる。端末は、上記実施形態で説明した端末１と同様の処理を行うことで、最も近い発信機（すなわち、端末を手にしている医療スタッフの発信機）を選択し、選択した発信機が発信する電波により通知されたユーザＩＤをサーバに送信する。サーバは、端末が送信したユーザＩＤを受信することで、発信機を所持する医療スタッフのログイン処理を行う。
【００６４】
これにより、医療スタッフは、共用の端末を使用する場合に、自身のユーザＩＤ、パスワードなどのログイン情報を入力することなく、ログイン状態となり端末の使用が可能となるため、医療スタッフのログイン作業を不要とし、医療スタッフの利便性を向上することができる。
【符号の説明】
【００６５】
１  ：端末
１１：受信部
１２：選択部
１３：取得部
１４：記憶部
２  ：サーバ
２１：制御部
２２：予約ＤＢ
２３：患者ＤＢ
３  ：発信機（ビーコン）  
【図１】
0006682085.tif 000002
【図２】
0006682085.tif 000003
【図３】
0006682085.tif 000004
【図４】
0006682085.tif 000005
【図５】
0006682085.tif 000006
【図６】
0006682085.tif 000007
【図７】
0006682085.tif 000008